【手続補正書】
【提出日】平成15年11月19日(2003.11.19)
【手続補正１】
【補正対象書類名】明細書
【補正対象項目名】全文
【補正方法】変更
【補正の内容】
【発明の名称】紙葉類データ管理装置及び紙葉類データ管理システム
【特許請求の範囲】
【請求項１】紙葉類処理装置に出入れ利用される紙葉類毎のデータを管理する紙葉類データ管理装置であって、
上記紙葉類に記録されている特定データを読取る読取手段と、
上記読取手段で読取った特定データと顧客照合確認用のＩＤデータとを対応させて記憶する記憶手段を備えた
紙葉類データ管理装置。
【請求項２】上記特定データを、上記紙葉類に印刷されている記番号、または特定の文字や形状の組合わせ若しくは特定の印刷模様に設定した
請求項１に記載の紙葉類データ管理装置。
【請求項３】記憶手段は、読取手段で読取不完全となった紙葉類の読取欠落部分をイメージセンサで読取補足して記憶することを特徴とする
請求項１または２に記載の紙葉類データ管理装置。
【請求項４】請求項１から３のいずれか１に記載の紙葉類データ管理装置を有する紙葉類データ管理システムであって、
上記紙葉類の特定データの真偽を識別する紙葉類識別手段を備え、
読取った特定データが偽データであると判断した場合には、上記特定データに基づいて、上記記憶手段に記憶された顧客照合確認用のＩＤデータを検索し、
該特定データに対応する顧客を特定することを特徴とした
紙葉類データ管理システム。
【請求項５】上記紙葉類処理装置に着脱して紙葉類を補充または回収する補充回収装置を設け、この補充回収装置の紙葉類補充回収処理時に、補充または回収される紙葉類と共に、その特定データを紙葉類の移送方向にデータ移送するデータ移送手段を備えた
請求項４に記載の紙葉類データ管理システム。
【発明の詳細な説明】
【０００１】
【発明の属する技術分野】
この発明は、例えば自動預金支払機（ＡＴＭ）や自動支払機（ＣＤ）に適用されるような紙葉類データ管理装置に関し、さらに詳しくは紙幣、小切手等の紙葉類の出所データを管理することができる紙葉類データ管理装置及び紙葉類データ管理システムに関する。
【０００２】
【従来の技術】
以下、紙幣を取扱うＡＴＭを例にとって説明すると、このＡＴＭは紙幣を入出金取引許容して設けられ、入金時には紙幣に印刷されたデータから一枚ずつ真偽判別及び金種判別している。
【０００３】
しかし、精巧に偽造された紙幣の場合はＡＴＭで識別できず、ＡＴＭより取出された後、計数装置等の紙幣処理装置あるいは係員によって偽紙幣であることが判明されることがある。この場合、偽紙幣が利用された装置及びそのときの偽紙幣利用者を特定することが望まれるが、現状の紙幣管理状態では紙幣の出所を追跡するのが困難となっていた。
【０００４】
【発明が解決しようとする課題】
そこでこの発明は、紙葉類毎に区別して記録された記番号等の特定データを読取保存して、紙葉類の出所データを追跡管理することができる紙葉類データ管理装置及び紙葉類データ管理システムの提供を目的とする。
【０００５】
【課題を解決するための手段】
請求項１記載の発明は、紙葉類処理装置に出入れ利用される紙葉類毎のデータを管理する紙葉類データ管理装置であって、上記紙葉類に記録されている特定データを読取る読取手段と、上記読取手段で読取った特定データと顧客照合確認用のＩＤデータとを対応させて記憶する記憶手段を備えたことを特徴とする。
【０００６】
請求項２記載の発明は、上記特定データを、上記紙葉類に印刷されている記番号、または特定の文字や形状の組合わせ若しくは特定の印刷模様に設定したことを特徴とする。
【０００７】
請求項３記載の発明は、読取手段で読取不完全となった紙葉類の読取欠落部分をイメージセンサで読取補足して記憶する記憶手段を備えたことを特徴とする。
【０００８】
請求項４記載の発明は、上記紙葉類の特定データの真偽を識別する紙葉類識別手段を備え、読取った特定データが偽データであると判断した場合には、上記特定データに基づいて、上記記憶手段に記憶された顧客照合確認用のＩＤデータを検索し、該特定データに対応する顧客を特定することを特徴とした紙葉類データ管理システムであることを特徴とする。
【０００９】
請求項５記載の発明は、紙葉類処理装置に出入れ利用される紙葉類毎のデータを管理する紙葉類データ管理システムであって、上記紙葉類処理装置に着脱して紙葉類を補充または回収する補充回収装置を設け、この補充回収装置の紙葉類補充回収処理時に、補充または回収される紙葉類と共に、その特定データを紙葉類の移送方向にデータ移送するデータ移送手段を備えたことを特徴とする。
【００１０】
【発明の作用及び効果】
この発明によれば、紙葉類処理装置に出入れ利用される紙葉類毎のデータを管理する際、出入れ利用されたときの紙葉類に記録されている記番号等の特定データを読取手段で読取り、その読取った特定データを記憶手段で記憶管理する。
【００１１】
このため、紙葉類の記憶情報が後に必要となった場合は、記憶手段から該当する特定の記憶情報を読出して紙葉類の通過経路を追跡し、これに基づいて紙葉類が利用された装置及び使用者を特定することができる。例えば、紙葉類の特定データの真偽を識別する紙葉類識別手段により、偽紙幣を発見した場合であれば、その偽紙幣の記番号から偽紙幣の出所場所及び偽紙幣利用者を直ちに追跡して指名手配することができる。
【００１２】
また、紙葉類に記録されている特定データと、顧客のＩＤデータとを対応させて記憶管理するように設定することにより、顧客の追跡時にＩＤデータから顧客を的確に特定することができる。
【００１３】
さらに、読取不完全となった紙葉類の読取欠落部分をイメージセンサで読取補足して記憶管理するように設定した場合は、読取精度が向上して紙葉類の特定データを正確に読取管理できる。
【００１４】
また、紙葉類処理装置に補充回収装置を着脱利用して紙葉類を補充または回収する場合、補充または回収される紙葉類と共に、その紙葉類の特定データをデータ移送手段が紙葉類の移送方向にデータ移送すれば、紙葉類の所在位置と特定データの所在位置とが同一箇所に保存管理されるため、紙葉類の管理性能を高めることができる。
【００１５】
【実施例】
この発明の実施例を以下図面に基づいて詳述する。
［第１実施例］
図１は紙幣データ管理機能を備えたＡＴＭ１１を示し、この紙幣データ管理機能を備えたＡＴＭ１１は内部に紙幣識別ユニット１２と、記番号読取ユニット１３と、カートリッジ１４とを備えて構成され、入金取引時に投入された取引カード１５の照合確認データから顧客を特定した後、入金すべき紙幣１６を投入させる。
【００１６】
この投入された紙幣１６は紙幣識別ユニット１２に導いて金種及び真偽を識別した後、続いて記番号読取ユニット１３に導いて入金紙幣の記番号を読取処理する。読取処理された紙幣１６は順にカートリッジ１４に収納され、また読取った記番号はカートリッジメモリ１７に記憶される。
【００１７】
図２は入金紙幣を間接的にカートリッジ１４に収納する入金経路構造を示し、これは記番号読取ユニット１３とカートリッジ１４との間に、金種別スタッカ１８…を介在させ、入金時に入金された紙幣１６を一旦金種別スタッカ１８に分配収納し、そのときのデータを本体メモリ１９に記憶させ、精査時等にまとめてカートリッジ１４に収納し、同様に精査データを本体メモリ１９からカートリッジメモリ１７にデータ移送する。このように金種別スタッカを備えた入金経路構造にも適用することができる。
【００１８】
図３は異常紙幣発見時の追跡状態を示し、紙幣データ管理機能を備えたＡＴＭ１１から取出したカートリッジ１４を目的位置３１まで輸送し、その後、紙幣１６をチェックしたときに異常紙幣が存在することを発見したときは、そのデータを記憶するカートリッジメモリ１７から同紙幣の記番号データを読出し、この記番号データに基づいて異常紙幣がたどった通過経路３２、取引利用されたＡＴＭ１１及び異常紙幣を利用した特定者３３を直ちに追跡して突止めることができる。
【００１９】
図４は異常紙幣発見時の自動検索説明例を示し、カートリッジ１４を目的位置に設置された計数装置４１にセットしたとき、この計数装置４１に備えられた記番号読取ユニット４２でカートリッジ１４内の紙幣の記番号を読取り、これを照合確認することに基づいて偽造された異常紙幣等の存在を発見することができ、また係員が手作業で記番号をパソコン等を用いて入力操作することに基づいて同様に記番号データを照合確認して異常紙幣を発見することができる。
【００２０】
このとき、カートリッジメモリ１７には紙幣に記録されている金種別の記番号４３と、顧客の取引利用したＡＴＭ機番４４及び顧客のＩＤデータ４５とを対応させて記憶管理しており、これらのデータから自動検索して顧客が取引利用したＡＴＭ機番４４及び顧客を特定するＩＤデータ４５から顧客を的確に追跡し、時間の経過に拘らず異常紙幣の使用者を正確に特定することができる。
【００２１】
図５は紙幣データ管理機能を備えたＡＴＭ１１の制御回路ブロック図を示し、ＣＰＵ５１はＲＯＭ５２に格納されたプログラムに沿って各回路装置を制御し、その制御データをＲＡＭ５３で読出し可能に記憶する。
【００２２】
ところで、記番号読取ユニット１３は紙幣に印刷された紙幣全体のデータを読取るイメージセンサを備え、このイメージセンサで紙幣の記番号を文字認識して取得し、この取得した記番号のデータを最終的にカートリッジメモリ１７に記憶管理させる。
【００２３】
このように構成された図２に示す紙幣データ管理機能を備えたＡＴＭの紙幣処理動作を図６〜図８のフローチャートを参照して説明する。
図６は入金取引時の紙幣処理動作を示し、今、紙幣データ管理機能を備えたＡＴＭ１１で入金取引が行われると、入金された紙幣は紙幣識別ユニット１２に導かれ、ここで紙幣の金種及び真偽が識別され（ステップｎ1 ）、
続いて記番号読取ユニット１３に導かれて紙幣の記番号が読取られた後、最後に金種別スタッカ１８に分配収納される（ステップｎ2 〜ｎ3 ）。
【００２４】
金種別スタッカ１８に全入金紙幣が分配収納されると、ＣＰＵ５１は本体メモリ１９としてのＲＡＭ５３に、紙幣の記番号と顧客のＩＤデータとを一時記憶させてデータ管理する（ステップｎ4 〜ｎ5 ）。
【００２５】
図７は精査処理時の紙幣処理動作を示し、精査処理信号に基づいてＣＰＵ５１は金種別スタッカ１８から紙幣１６を一枚ずつ繰出し（ステップｎ11）、
繰出された紙幣１６を順にカートリッジ１４に収納処理し、このカートリッジ１４に全ての紙幣が収納されると（ステップｎ12〜ｎ13）、
ＣＰＵ５１は本体メモリ１９で記憶した紙幣管理データをカートリッジメモリ１７に記憶させて精査処理が終了する（ステップｎ14）。
【００２６】
図８は異常紙幣発見時の検索処理動作を示し、精査処理後はＡＴＭ１１からカートリッジ１４が取外され、図３に示すように、取外されたカートリッジ１４は後方処理部の目的位置３１へと搬送される（ステップｎ21）。
【００２７】
ここで例えば、図４に示すように、計数装置４１に導かれてカートリッジ１４内の紙幣の記番号が自動的に読取られる。この記番号の自動読取時に偽番号の紙幣があれば、その偽造された紙幣を自動的に発見する（ステップｎ22）。
【００２８】
この偽紙幣を発見したときは、カートリッジ１４内のカートリッジメモリ１７に記憶されている該当する紙幣管理データを読出し（ステップｎ23〜ｎ24）、
この読出した紙幣管理データから偽紙幣が取引利用された特定位置のＡＴＭ及び偽紙幣を利用した顧客を特定することができる（ステップｎ25）。
【００２９】
図９は記番号の読取例を示し、これは紙幣１６の左上隅と右下隅に印刷されている例えば「ＪＲ２６３９９２Ｘ」等の記番号９１をイメージセンサで読取る。このとき、読取った記番号９１を文字認識し、この文字認識から切出した文字コードを記憶する。
【００３０】
この際、文字認識結果から一文字欠落して読取れない未完全記番号９２が生じた場合は、その読取欠落部分９３の一文字をイメージデータを貼付ける如く補填して完全に読取った状態の完全記番号９４に設定して文字認識精度を高める記番号高読取機能を有している。これにより、記番号の読取精度及び読取信頼性が高まり、紙幣１６の証拠性が高まる。またこの場合は、イメージセンサで取得した全イメージデータで代用してもよいが、欠落部分に相当する一部のイメージデータのみを使用して、メモリの記憶容量を必要最小限にすることが好ましい。
【００３１】
［第２実施例］
図１０〜図１２は紙幣データ管理機能を備えた後方ロボット処理機能付きのＡＴＭ１０１を示し、この後方ロボット処理機能付きのＡＴＭ１０１は内部に記番号読取ユニット１０２と、本体メモリ１０３と、カートリッジ１０４とを備えて紙幣データを管理するものであって、先ず、入金取引時のデータ管理に際しては、図１０に示すように、入金された紙幣を記番号読取ユニット１０２に導いて紙幣の記番号を読取り、記番号読取後は紙幣を順にカートリッジ１０４へと収納し、読取った記番号は本体メモリ１０３に記憶管理させる。これにより、入金取引時点で紙幣毎の記番号データを一枚ずつ正確に管理する。
【００３２】
図１１は紙幣回収時のデータ管理状態を示し、この後方ロボット処理機能付きのＡＴＭ１０１からの紙幣回収時に同ＡＴＭ１０１の後方に着脱許容された後方ロボット１０５を接続し、内部のカートリッジ１０４に収納されている紙幣を一枚ずつ外部の後方ロボット１０５に繰出して回収させる。また、この回収動作と共に移送された紙幣の記番号データを本体メモリ１０３から後方ロボットメモリ１０６にデータ移送し、全ての紙幣が回収された時点で回収処理が終了する。このため、紙幣の回収と同時に紙幣の記番号データが後方ロボット１０６に記憶管理される。
【００３３】
図１２は紙幣補充時のデータ管理状態を示し、この後方ロボット処理機能付きのＡＴＭ１０１への紙幣補充時に同ＡＴＭ１０１の後方に後方ロボット１０５を接続し、この外部の後方ロボット１０５から紙幣を一枚ずつ繰出してＡＴＭ内のカートリッジ１０４に補充させる。また、この補充動作と共に補充される紙幣の記番号データを後方ロボットメモリ１０６から本体メモリ１０３にデータ移送し、指定された補充量が補充された時点で補充処理が終了する。このため、紙幣の補充と同時に紙幣の記番号データがカートリッジ１０４に記憶管理される。従って、紙幣が移送された所在位置と記番号データ管理位置とが同一箇所に保存管理されるため、紙幣の移動に追従したデータ管理ができ、偽紙幣が発見されたときは、どのＡＴＭで入金利用されたかを正確に特定することができる。
【００３４】
上述のように、ＡＴＭに出入れ利用される紙幣毎のデータを管理する際、出入れ利用されたときの紙幣に記録されている記番号を読取り、その読取った記番号データをメモリで記憶管理するため、紙幣の記憶情報が後に必要となった場合は、メモリから該当する特定の記番号データを読出して紙幣の通過経路を追跡し、これに基づいて紙幣が利用されたＡＴＭ及び使用者を特定することができる。例えば、紙幣の記番号データの真偽を識別する識別手段により、偽紙幣を発見した場合であれば、その偽紙幣の記番号から偽紙幣の出所ＡＴＭと偽紙幣の利用者を直ちに追跡して指名手配することができる。
【００３５】
また、紙幣に記録されている記番号と顧客のＩＤデータとを対応させて記憶管理するため、紙幣の流通取引に適用されるＩＤデータから顧客を容易に追跡して特定することができる。
【００３６】
さらに、読取不完全となった紙幣の読取欠落部分をイメージセンサで読取補足するように設定した場合は、読取精度が向上して紙幣の記番号データを正確に管理することができる。
【００３７】
また、ＡＴＭに後方ロボットを着脱利用して紙幣を補充または回収する場合、補充または回収される紙幣の移送だけでなく、その紙幣の記番号データを紙幣の移送方向にデータ移送するため、紙幣の所在位置と記番号データの所在位置とが同一箇所に保存されて紙幣の移動に追従した管理が行え、このため紙幣の管理性能を高めることができる。
【００３８】
この発明と、上述の実施例の構成との対応において、
この発明の紙葉類処理装置は、実施例の紙幣データ管理機能を備えたＡＴＭ１１と後方ロボット処理機能付きのＡＴＭ１０１とに対応し、
以下同様に、
紙葉類は、紙幣１６に対応し、
特定データは、記番号４３，９１、または特定の文字や形状の組合わせ及び特定の印刷模様に対応し、
特定データの読取手段は、記番号読取ユニット１３，４２，１０２に対応し、  記憶手段は、カートリッジメモリ１７と本体メモリ１９，１０３と、ＲＡＭ５３と後方ロボットメモリ１０６とに対応し、
補充回収装置は、後方ロボット１０５に対応し、
データ移送手段は、ＣＰＵ５１に対応するも、
この発明は、請求項に示される技術思想に基づいて応用することができ、上述の実施例の構成のみに限定されるものではない。
【図面の簡単な説明】
【図１】この発明の第１実施例の紙幣データ管理機能を備えたＡＴＭの直接カートリッジ収納型の入金取引説明図。
【図２】この発明の第１実施例の紙幣データ管理機能を備えたＡＴＭの間接カートリッジ収納型の入金取引説明図。
【図３】この発明の第１実施例の異常紙幣発見時の特定者追跡状態を示す説明図。
【図４】この発明の第１実施例の異常紙幣発見時の自動検索状態を示す自動検索説明図。
【図５】この発明の第１実施例の紙幣データ管理機能を備えたＡＴＭの制御回路ブロック図。
【図６】この発明の第１実施例の入金取引時の紙幣処理動作を示すフローチャート。
【図７】この発明の第１実施例の精査処理時の紙幣処理動作を示すフローチャート。
【図８】この発明の第１実施例の偽紙幣発見時の検索処理動作を示すフローチャート。
【図９】この発明の第１実施例の記番号読取状態を示す説明図。
【図１０】この発明の第２実施例の紙幣データ管理機能を備えた後方ロボット処理機能付きＡＴＭの入金取引説明図。
【図１１】この発明の第２実施例の紙幣回収時のデータ管理状態を示す説明図。
【図１２】この発明の第２実施例の紙幣補充時のデータ管理状態を示す説明図。
【符号の説明】
１１…紙幣データ管理機能を備えたＡＴＭ
１３，４２，１０２…記番号読取ユニット
１６…紙  幣
１７…カートリッジメモリ
１９，１０３…本体メモリ
３２…異常紙幣の通過経路
３３…特定者
４１…計数装置
４３，９１…記番号
４４…ＡＴＭ機番
４５…ＩＤデータ
５１…ＣＰＵ
５３…ＲＡＭ
９３…読取欠落部分
１０１…後方ロボット処理機能付きのＡＴＭ
１０５…後方ロボット
１０６…後方ロボットメモリ